(57)【要約】【課題】部品点数及び組立工数を少なくし、製造コストを下げる。【解決手段】対向する２つ一対の側板（１Ｃ）を上面の連結部（１Ｂ）でつないだガイドリンク（１）を多数つなぎ、それぞれの隣り合う側板（１Ｃ）間に空隙（１Ａ）を形成した長尺の一体成型された部品を構成するとともに、帯状の可撓性を有するスライドストリップ（２）を一体成型し、このスライドストリップ（２）を中間のガイドリンク（１）の側板（１Ｃ）間にその長手方向にスライド可能になるように取付けるとともに、両端のガイドリンク（１）に固定してケーブルガイドを構成し、ケーブルガイド旋回時にそれぞれの隣り合う側板（１Ｃ）の自由端同士が当接することで旋回角度を制限するようにした。【選択図】図３
2009273250.tif 000002
【特許請求の範囲】
【請求項１】
対向する２つ一対の側板を上面の連結部でつないだガイドリンクを多数つなぎ、それぞれの隣り合う側板間に空隙を形成した長尺の一体成型された部品を構成するとともに、帯状の可撓性を有するスライドストリップを一体成型し、
このスライドストリップを中間のガイドリンクの側板間にその長手方向にスライド可能になるように取付けるとともに、両端のガイドリンクに固定してケーブルガイドを構成し、
ケーブルガイド旋回時にそれぞれの隣り合う側板の自由端同士が当接することで旋回角度を制限するようにしたことを特徴とするケーブルガイド。
【請求項２】
前記側板内面にスライドストリップを挿入し得る隙間をあけて一対の突起が形成されたことを特徴とする請求項１に記載のケーブルガイド。
【発明の詳細な説明】
【技術分野】
【０００１】
本発明は、ケーブルガイドに関し、さらに詳細には、静止装置から往復運動装置に電源電力を供給する給電ケーブル、または信号の送受を行う信号ケーブルを長手方向にスライド可能に保護、及びガイド保持するガイドリンクを有し、ガイドリンクの一端部が前記静止装置に連結、他端部が前記往復運動装置に連結され、かつ往復運動で発生するケーブルの余長をガイドリンクの旋回構造にて吸収するケーブルガイドに関する。
【背景技術】
【０００２】
ガイドされるケーブルに対して柔軟な使用ができる従来のケーブルガイドとしては、図５及び図６に示すものが知られている（特許文献１参照）。図５では、ガイドリンク１００がスライドストリップ１０１上に固定され、ガイドリンク１００はケーブルＡを保持するためのガイドチャンネル１０２を有している。図６では、ガイドリンク１００が互いに嵌合する構造（符号Ｂで示す）と旋回時の角度を制限する構造（符号Ｃで示す）とを有し、ガイドリンク１００が複数つながることによりケーブルガイドとして機能し得るように構成してある。
【特許文献１】特表２００２−５３４９５０号公報
【発明の開示】
【発明が解決しようとする課題】
【０００３】
従来のものでは、ガイドリンク１００が複数つながることによりケーブルガイドとして機能するので、部品点数が多くなり、個々のガイドリンク１００の組立て作業を必要とし、かつその組立て工数も多く、製造コストが高くなってしまうものであった。
【０００４】
また、ガイドリンク１００は、お互いをつなげるための嵌合構造や旋回角度を制限するための構造を必要とするため、樹脂成型金型の構造が複雑なものとなり、金型も高価になってしまうものであった。
【０００５】
本発明は、構造が簡単で金型コストも安価であり、組立ても容易なケーブルガイドを提供することを目的とする。
【課題を解決するための手段】
【０００６】
上述の目的を達成するため、本発明は、対向する２つ一対の側板を上面の連結部でつないだガイドリンクを多数つなぎ、それぞれの隣り合う側板間に空隙を形成した長尺の一体成型された部品を構成するとともに、帯状の可撓性を有するスライドストリップを一体成型し、このスライドストリップを中間のガイドリンクの側板間にその長手方向にスライド可能になるように取付けるとともに、両端のガイドリンクに固定してケーブルガイドを構成し、ケーブルガイド旋回時にそれぞれの隣り合う側板の自由端同士が当接することで旋回角度を制限するようにしたものである。
【発明の効果】
【０００７】
本発明によれば、対向する２つ一対の側板を上面の連結部でつないだガイドリンクを多数つなぎ、それぞれの隣り合う側板間に空隙を形成した長尺の一体成型された部品を構成するとともに、帯状の可撓性を有するスライドストリップを一体成型し、このスライドストリップを中間のガイドリンクの側板間にその長手方向にスライド可能になるように取付けるとともに、両端のガイドリンクに固定してケーブルガイドを構成し、ケーブルガイド旋回時にそれぞれの隣り合う側板の自由端同士が当接することで旋回角度を制限するようにしたので、往復運動装置の往復運動に伴うケーブルガイド旋回時はスライドストリップが複数のガイドリンクをつないだもの全体の内部を長手方向にスライドするため、ケーブル旋回時に発生する旋回部分の外周と内周の変形長さの差を吸収できる。かつケーブルガイドの長さとスライドストリップの長さとは常に一定のため、形状保持力により安定したケーブルの軌跡を得られる。また、ガイドされるケーブルが格納される空間は、ガイドリンクをつないだものとスライドストリップの基本２部品で構成されるため、旋回部分の組立て作業が不要である。
【発明を実施するための最良の形態】
【０００８】
以下に、本発明の好適な実施形態について図面を参照にして説明する。
【０００９】
図１に示す発明の実施形態では、ガイドリンク１をつないだものと帯状の可撓性を有するスライドストリップ２は、ともに長尺で連続的な一体成型された樹脂成形品である。複数のガイドリンク１は、断面コ字状であり、隣接するガイドリンク１の間には空隙１Ａが形成され、図面上の上面（連結部１Ｂ）で全てのガイドリンク１はつながれ、かつ樹脂材料で一体成型されている。
【００１０】
図２は、図１のＡ−Ａ線断面図であり、各ガイドリンク１の互いに対向した２つ一対の側板１Ｃの各内面にスライドストリップ２を挿通してガイドリンク１にスライドストリップ２を取付けるための２つ一対の突起１０、１１をそれぞれ形成してある。これらの突起間１０、１１の隙間にスライドストリップ２を挿入ないしは挾み込む。
【００１１】
図３は、スライドストリップ２とガイドリンク１との取付前の斜視図を示し、各ガイドリンク１の側板１Ｃの内面側に形成された突起１０、１１の間にスライドストリップ２を挾み込んで、このスライドストリップ２がガイドリンク１で動きを拘束されずに、折曲可能かつ長手方向へもスライド可能となる。スライドストリップ２は、突起１０、１１により固着されず、突起１０、１１に挾まれただけの取付け構造となっている。突起１０、１１の間にスライドストリップ２を取付ける方法は、長手方向にスライドストリップ２をスライドさせて突起１０、１１の間（隙間）に挿入する方法と、ガイドリンク１の一対の側板１Ｃを開いて突起１０、１１の間にスライドストリップ２の両側を挾み込む方法とが可能である。分解するときは、反対の操作により、ガイドリンク１からスライドストリップ２を簡単に取外すことができる。
【００１２】
図４は、ケーブルガイドを旋回させた状態の正面図である。旋回角度の制限は、従来のような特別な構造（図６の符合Ｃ参照）は不要であり、ガイドリンク１の隣り合う側板１Ｃの自由端同士が当接することにより行われる。図４では、側板１Ｃの自由端側の空隙１Ａがなくなって隣り合う側板１Ｃの自由端同士がぶつかり、ケーブルガイドのそれ以上の旋回を阻止している。自由端同士の当接部分を符号Ｘで示す。なお、ガイドリンク１の両端側とスライドストリップ２の両端側とは、止着手段１２により固定されている。
【００１３】
図４において、ガイドリンク１をつないだ全体の長さ、これをケーブルガイドの長さＬ１とし、スライドストリップ２の長さをＬ２とし、旋回半径をＲ１としたとき、これらの長さや径は、当該ケーブルガイドが取付けられる往復運動装置の移動距離、往復運動装置と静止装置の距離、及びガイドされるケーブル可撓性等により設定する。
【００１４】
なお、本発明のケーブルガイドは、スライドドアを有する自動車の自動車本体とドアとを接続するケーブル配索部に利用することもできる。また、ガイドリンク１の側板１Ｃの内面に突起１０、１１を形成し、その間の隙間をスライドストリップ２の厚さとほぼ同じにし、このスライドストリップ２を突起１０、１１の間に挾んだとき、スライドストリップ２が長手方向にスライド可能としたが、突起１０、１１の替りに側板１Ｃに長溝を形成し、この長溝にスライドストリップ２を嵌合させたりしてもよい。いずれにしても、複数のガイドリンク１をつないだ全体が、樹脂材料で一体成型できるような構造であれば、突起１０、１１に限定されるものではない。
【図面の簡単な説明】
【００１５】
【図１】本発明の実施形態を示す正面図。
【図２】図１のＡ−Ａ線断面図。
【図３】取付前の斜面図。
【図４】旋回図の正面図。
【図５】従来例の断面図。
【図６】従来例の旋回時の図。
【符号の説明】
【００１６】
１      ガイドリンク
１Ａ    空隙
１Ｂ    連結部
１Ｃ    側板
２      スライドストリップ
Ａ      ケーブル
【図１】
2009273250.tif 000003
【図２】
2009273250.tif 000004
【図３】
2009273250.tif 000005
【図４】
2009273250.tif 000006
【図５】
2009273250.tif 000007
【図６】
2009273250.tif 000008